(57)【要約】【課題】室外熱交換器の着霜による吸入圧力の低下が頻発する低外気温度下で、特に暖房能力が必要であるにもかかわらず、機器の発停頻度が多くなり室内を暖める能力が不足する課題を解消する空気調和装置を提供する。【解決手段】暖房運転時、吸入圧力検出手段７が検出した吸入圧力が、外気温度ごとに定められた所定の設定値以下となった場合、圧縮機１の運転周波数を低下させることにより、吸入圧力の低下を抑制し、室外側熱交換器２への着霜の進行を遅延できるばかりでなく、室内側の要求能力に応じた運転を行なうことができる。【選択図】図５
2006170528.tif 000002
【特許請求の範囲】
【請求項１】
能力可変型圧縮機、室外側熱交換器、室外送風機、電動式膨張弁、四方弁、室外熱交換器温度検出手段、吸入圧力検出手段、外気温度検出手段、室外機制御装置を設けた室外機と、室内側熱交換器、室内送風機、電動式膨張弁、室内機吸い込み空気温度検出手段、室内機制御装置を設けた室内機とで形成される空気調和装置であって、暖房運転時、吸入圧力検出手段が検出した吸入圧力が、外気温度ごとに定められた所定の設定値以下となれば、圧縮機の運転周波数を低下させることを特徴とする空気調和装置。
【請求項２】
室内機吸い込み温度とリモコン設定温度との差温に応じて、圧縮機運転周波数の低下量を変化させることを特徴とする、請求項１記載の空気調和装置。
【請求項３】
暖房運転時、室外熱交換器温度検出手段が検出した室外熱交換器温度が、外気温度ごとに定められた所定の設定値以下となれば、圧縮機の運転周波数を低下させることを特徴とする、請求項１記載の空気調和装置。
【請求項４】
室内機吸い込み温度とリモコン設定温度との差温に応じて、圧縮機運転周波数の低下量を変化させることを特徴とする、請求項３記載の空気調和装置。
【請求項５】
圧縮機周波数を低下する動作に回数制限を設けたことを特徴とする、請求項１〜４のいずれかに記載の空気調和装置。
【発明の詳細な説明】
【技術分野】
【０００１】
本発明は、空気調和装置に関するものである。
【背景技術】
【０００２】
低外気温度下での暖房運転において、室外熱交換器の着霜が進行し吸入圧力が低下した場合、従来の空気調和装置における運転制御方法は、図１０のフローチャートに示すように、低圧スイッチの作動により圧縮機を停止、または機器を異常停止させるというものがある（例えば、特許文献１参照）。
【特許文献１】特開平８−２５４３６２号公報
【発明の開示】
【発明が解決しようとする課題】
【０００３】
しかしながら、室外熱交換器の着霜による吸入圧力の低下が頻発する低外気温度下では、特に暖房能力が必要であるにもかかわらず、このような運転制御方法の場合、機器の発停頻度が多くなり室内を暖める能力が不足するといった場合があった。
【０００４】
本発明は、上記従来の課題を解決するもので、低外気温度下での暖房運転において、吸入圧力が低下した場合でも、圧縮機を停止させず周波数を低下することにより、室内を暖める能力を不足させない運転制御方法を搭載した空気調和装置の提供を目的とする。
【課題を解決するための手段】
【０００５】
上記課題を解決する為に本発明は、吸入圧力が外気温度ごとに定められた所定の設定値以下となった場合、圧縮機の周波数を低下させるものである。
【発明の効果】
【０００６】
本発明の運転制御方法は、低外気温度下での暖房運転において、吸入圧力が低下した場合でも、圧縮機を停止させず周波数を低下することにより、室内を暖める能力を不足させず、さらには室外熱交換器への着霜の進行を遅延することができる。
【発明を実施するための最良の形態】
【０００７】
第１の発明は、暖房運転時、吸入圧力検出手段が検出した吸入圧力が、外気温度ごとに定められた所定の設定値以下となれば、圧縮機の運転周波数を低下させることにより、吸入圧力の低下を抑制し、室外熱交換器への着霜の進行を遅延でき、室内の暖房能力を低下させず維持することができる。
【０００８】
第２の発明は、特に、第１の発明における空気調和装置において、室内機吸い込み温度とリモコン設定温度との差温に応じて、圧縮機運転周波数の低下量を変化させることにより、吸入圧力の低下を抑制し、室外熱交換器への着霜の進行を遅延できるばかりでなく、室内の要求能力に応じた運転ができ、快適性を向上できる。
【０００９】
第３の発明は、特に、第１の発明における空気調和装置において、暖房運転時、室外熱交換器温度検出手段が検出した室外熱交換器温度が、外気温度ごとに定められた所定の設定値以下となれば、圧縮機の運転周波数を低下させることにより、吸入圧力の低下を抑制し、室外熱交換器への着霜の進行を遅延でき、室内の暖房能力を低下させず維持することができる。
【００１０】
第４の発明は、特に、第３の発明における空気調和装置において、室内機吸い込み温度
とリモコン設定温度との差温に応じて、圧縮機運転周波数の低下量を変化させることにより、吸入圧力の低下を抑制し、室外熱交換器への着霜の進行を遅延できるばかりでなく、室内の要求能力に応じた運転ができ、快適性を向上できる。
【００１１】
第５の発明は、第１〜第４のいずれかの発明の空気調和装置において、圧縮機周波数を低下する動作に回数制限を設けたことにより、周波数の下げすぎを抑制し、室内の要求能力に対し機器の暖房能力が大きく不足することを防止できる。
【００１２】
以下、本発明の実施の形態について、図面を参照しながら説明する。なお、本実施の形態によって本発明が限定されるものではない。
【００１３】
（実施の形態１）
図１は本発明の実施例を示す冷凍サイクル図である。
【００１４】
同図において、冷凍サイクルは能力可変型圧縮機１、室外側熱交換器２、室外送風機３、減圧自在な電動式膨張弁４、冷房運転と暖房運転を切換える四方弁５、室外熱交換器温度検出手段６、吸入圧力検出手段７、外気温度検出手段８、室外機制御装置９とからなる室外機と、室内側熱交換器１０、室内送風機１１、減圧可能な電動式膨張弁１２、室内機吸い込み空気温度検出手段１３、室内機制御装置１４とからなる室内機とで構成されている。
【００１５】
図２は本発明の運転制御方法を説明するための吸入圧力設定値表であり、外気温度ごとに所定の吸入圧力設定値を割り当てたものである。
【００１６】
図３は本発明の運転制御方法を説明するための動作フローチャートである。
【００１７】
暖房運転時、吸入圧力検出手段７により吸入圧力Ｐｓを検出し、外気温度検出手段８により外気温度Ｔｏを検出する。
次に、図２により、その外気温度に応じた吸入圧力設定値Ｐｓ＿１〜Ｐｓ＿６を得て、実際の吸入圧力Ｐｓと比較する。
【００１８】
吸入圧力Ｐｓが、吸入圧力設定値以下となれば、現在の周波数に所定の周波数低下係数Ｋｆを乗じ、周波数を低下する。
これらの動作により、吸入圧力の低下を抑制し、室外熱交換器への着霜の進行を遅延でき、室内の暖房能力を低下させず維持することができる。
【００１９】
（実施の形態２）
図４は本発明の運転制御方法を説明するための周波数低下係数表であり、リモコン設定温度と室内吸い込み空気温度との差温ごとに所定の周波数低下係数を割り当てたものである。
【００２０】
図５は本発明の運転制御方法を説明するための動作フローチャートである。
【００２１】
実施の形態１と同様に、暖房運転時、吸入圧力検出手段７により吸入圧力Ｐｓを検出し、外気温度検出手段８により外気温度Ｔｏを検出する。
【００２２】
さらに室内吸い込み空気温度検出手段により吸い込み空気温度Ｔｉを検出し、リモコン設定温度とＴｉの差温ΔＤを算出し、図４により周波数低下係数Ｋｆを得る。
【００２３】
吸入圧力Ｐｓが、吸入圧力設定値以下となれば、現在の周波数にＫｆを乗じ、周波数を
低下する。
【００２４】
これらの動作により、吸入圧力の低下を抑制し、室外熱交換器への着霜の進行を遅延できるばかりでなく、室内の要求能力に応じた運転ができ、快適性を向上できる。
【００２５】
（実施の形態３）
図６は本発明の運転制御方法を説明するための室外機熱交換器温度設定値表であり、外気温度ごとに所定の室外機熱交換器温度設定値を割り当てたものである。
【００２６】
図７は本発明の運転制御方法を説明するための動作フローチャートである。
【００２７】
暖房運転時、室外機熱交換器温度検出手段６により室外機熱交換器温度Ｔｅを検出し、外気温度検出手段８により外気温度Ｔｏを検出する。
【００２８】
次に、図７により、その外気温度に応じた室外機熱交換器温度設定値Ｔｅ＿１〜Ｐｓ＿６を得て、実際の室外機熱交換器温度Ｔｅと比較する。
【００２９】
室外機熱交換器温度Ｔｅが、室外機熱交換器温度設定値以下となれば、現在の周波数に所定の周波数低下係数Ｋｆを乗じ、周波数を低下する。
【００３０】
これらの動作により、吸入圧力の低下を抑制し、室外熱交換器への着霜の進行を遅延でき、室内の暖房能力を低下させず維持することができる。
【００３１】
（実施の形態４）
図８は本発明の運転制御方法を説明するための動作フローチャートである。
【００３２】
実施の形態３と同様に、暖房運転時、室外機熱交換器温度検出手段６により室外機熱交換器温度Ｔｅを検出し、外気温度検出手段８により外気温度Ｔｏを検出する。
【００３３】
さらに室内吸い込み空気温度検出手段により吸い込み空気温度Ｔｉを検出し、リモコン設定温度とＴｉの差温ΔＤを算出し、図４により周波数低下係数Ｋｆを得る。
【００３４】
室外機熱交換器温度Ｔｅが、室外機熱交換器温度設定値以下となれば、現在の周波数にＫｆを乗じ、周波数を低下する。
【００３５】
これらの動作により、吸入圧力の低下を抑制し、室外熱交換器への着霜の進行を遅延できるばかりでなく、室内の要求能力に応じた運転ができ、快適性を向上できる。
【００３６】
（実施の形態５）
図９は本発明の運転制御方法を説明するための動作フローチャートである。
【００３７】
暖房運転時、吸入圧力検出手段７により吸入圧力Ｐｓを検出し、外気温度検出手段８により外気温度Ｔｏを検出する。
【００３８】
次に、図２により、その外気温度に応じた吸入圧力設定値Ｐｓ＿１〜Ｐｓ＿６を得て、実際の吸入圧力Ｐｓと比較する。吸入圧力Ｐｓが、吸入圧力設定値以下となれば、現在の周波数に所定の周波数低下係数Ｋｆを乗じ、周波数を低下する。周波数低下の動作は最高３回とし、それを超えると現在周波数を維持する。
【００３９】
また本説明は実施の形態１に回数制限を設けたものであり、同様に実施の形態２〜４に
回数制限を設けてもよい。
【００４０】
これらの動作により、周波数の下げすぎを抑制し、室内の要求能力に対し機器の暖房能力が大きく不足することを防止できる。
【産業上の利用可能性】
【００４１】
本発明の運転制御方法は、１対の室内機と室外機からなる空気調和装置に限定されるものではなく、多室型空気調和装置にも適用できる。
【図面の簡単な説明】
【００４２】
【図１】本発明の実施形態を示す冷凍サイクル図
【図２】本発明の実施形態１、５を示す吸入圧力設定図
【図３】本発明の実施の形態１を示す動作フローチャート
【図４】本発明の実施形態２、４を示す周波数低下係数図
【図５】本発明の実施形態２を示す動作フローチャート
【図６】本発明の実施形態３を示す室外機熱交換器温度設定図
【図７】本発明の実施の形態３を示す動作フローチャート
【図８】本発明の実施の形態４を示す動作フローチャート
【図９】本発明の実施の形態５を示す動作フローチャート
【図１０】従来のフローチャート
【符号の説明】
【００４３】
１  能力可変型圧縮機
２  室外側熱交換器
３  室外送風機
４  室外機電動式膨張弁
５  四方弁
６  室外熱交換器温度検出手段
７  吸入圧力検出手段
８  外気温度検出手段
９  室外機制御装置
１０  室内側熱交換器
１１  室内送風機
１２  室内機電動式膨張弁
１３  室内機吸い込み空気温度検出手段
１４  室内機制御装置
【図１】
2006170528.tif 000003
【図２】
2006170528.tif 000004
【図３】
2006170528.tif 000005
【図４】
2006170528.tif 000006
【図５】
2006170528.tif 000007
【図６】
2006170528.tif 000008
【図７】
2006170528.tif 000009
【図８】
2006170528.tif 000010
【図９】
2006170528.tif 000011
【図１０】
2006170528.tif 000012
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
能力可変型圧縮機、室外側熱交換器、室外送風機、電動式膨張弁、四方弁、室外熱交換器温度検出手段、低圧圧力検出手段、外気温度検出手段、室外機制御装置を設けた室外機と、室内側熱交換器、室内送風機、電動式膨張弁、室内機吸い込み空気温度検出手段、室内機制御装置を設けた室内機とで形成される空気調和装置であって、暖房運転時、低圧圧力検出手段が検出した吸入圧力が、外気温度ごとに定められた所定の設定値以下となれば、圧縮機の運転周波数を低下させることを特徴とする空気調和装置。
【請求項２】
低圧圧力を吸入圧力としたことを特徴とする、請求項１記載の空気調和装置。
【請求項３】
室内機吸い込み温度とリモコン設定温度との差温に応じて、圧縮機運転周波数の低下量を変化させることを特徴とする、請求項２記載の空気調和装置。
【請求項４】
低圧圧力を室外側熱交換器の温度から推定し、この値が外気温度ごとに定められた所定の設定値以下となれば、圧縮機の運転周波数を低下させることを特徴とする、請求項１記載の空気調和装置。
【請求項５】
室内機吸い込み温度とリモコン設定温度との差温に応じて、圧縮機運転周波数の低下量を変化させることを特徴とする、請求項４記載の空気調和装置。
【請求項６】
圧縮機周波数を低下する動作に回数制限を設けたことを特徴とする、請求項１〜５のいずれかに記載の空気調和装置。